(57)【要約】【課題】溝及び孔内周加工部のスプライン刃によって溝加工を行なう際に、溝の奥側の内側面を過切削することを回避できるスプラインブローチを提供する。【解決手段】スプライン刃がブローチ本体の軸線方向に沿って連続して配置されて被削材に対し溝加工を行う溝加工部と、該溝加工部の後段に設けられ、スプライン刃と丸刃が軸線方向に沿って混在して配置されて被削材に対し溝加工と下孔の内周加工を行う溝及び孔内周加工部とを備える。溝及び孔内周加工部に配置されるスプライン刃１２ａの歯厚Ｓｂが、溝加工部に配置されるスプライン刃１１ａの歯厚Ｓａよりも小に設定されている。【選択図】図９
2014184532.tif 000002
【特許請求の範囲】
【請求項１】
スプライン刃がブローチ本体の軸線方向に沿って連続して配置されて被削材に対し溝加工を行う溝加工部と、該溝加工部の後段に設けられ、スプライン刃と丸刃が前記軸線方向に沿って混在して配置されて前記被削材に対し溝加工と下孔の内周加工を行う溝及び孔内周加工部とを備えるスプラインブローチにおいて、
前記溝及び孔内周加工部に配置されるスプライン刃の歯厚が、前記溝加工部に配置されるスプライン刃の歯厚よりも小に設定されていることを特徴とするスプラインブローチ。
【請求項２】
前記溝及び孔内周加工部では、前記スプライン刃と前記丸刃とが前記軸線方向に沿って交互に配置されていることを特徴とする請求項１に記載のスプラインブローチ。
【請求項３】
前記溝及び孔内周加工部には、前端に配置されるスプライン刃の歯厚が最も大きく、該スプライン刃から後段側に配置されるスプライン刃の歯厚が漸次小となるように設定されたスプライン刃歯厚可変部が設けられていることを特徴とする請求項１または２に記載のスプラインブローチ。
【請求項４】
前記溝及び孔内周加工部に配置されるスプライン刃は、歯厚が一定に設定されていることを特徴とする請求項１または２に記載のスプラインブローチ。
【発明の詳細な説明】
【技術分野】
【０００１】
本発明はスプラインブローチに関するものである。
【背景技術】
【０００２】
スプラインブローチの中には、スプライン刃が連続して配置されて被削材に対し溝加工を行う前段の溝加工部と、該溝加工部の後段に設けられ、スプライン刃と丸刃が交互に配置されて被削材に対し溝加工と孔の内周加工を行う溝及び孔内周加工部（通常、交互丸刃部と呼ばれる）とを備えるものが知られている（下記特許文献１参照）。
この種のスプラインブローチでは、丸刃が当該スプラインブローチの例えば最後段にまとめて配置される形式のものに比べ、スプライン刃と丸刃が混在して配置されて、溝の加工と孔の内周加工が交互に行われるので、孔の内周と溝との同芯度の高い加工が可能になる利点がある。
【先行技術文献】
【特許文献】
【０００３】
【特許文献１】特開２００７−３３１０７７号公報
【発明の概要】
【発明が解決しようとする課題】
【０００４】
ところで、上述した前段に溝加工部を備えるとともに後段に溝及び孔内周加工部（交互丸刃部）を備える従来のスプラインブローチにあっては、図１１に示すように、後段の溝及び孔内周加工部に配置されたスプライン刃によって溝の外径上がり切削加工（溝加工）を行なう際に、溝の奥側の内側面を過切削してしまうおそれがある。図１１中過切削部をＸで示す。また、Ｙは、溝加工部のスプライン刃によって加工された部分と溝及び孔内周加工部のスプライン刃によって加工された部分との境界を示す。
【０００５】
このように過切削部Ｘを生じさせる理由は、後段の溝及び孔内周加工部に配置されるスプライン刃のピッチが、それらスプライン刃の間に丸刃が配置されるため、前段の溝加工部に配置されるスプライン刃のピッチよりも大きくなる。このため、後段の溝及び孔内周加工部のスプライン刃によって溝加工を行なうときに、被削材に同時に係合するスプライン刃の数が減少し（１個あるいは２個になる）、結果的に被削材の挙動が不安定になる。また、上述したようにスプライン刃のピッチが大きくなるため、溝及び孔内周加工部に配置される個々のスプライン刃によって溝加工を行なった後のスプリングバック量が大きくなる等に起因すると推測される。
【０００６】
本発明は、このような背景の下になされたもので、溝及び孔内周加工部のスプライン刃によって溝加工を行なう際に、溝の奥側の内側面を過切削することを回避できるスプラインブローチを提供することを課題とする。
【課題を解決するための手段】
【０００７】
前記課題を解決するために、本発明のスプラインブローチでは、スプライン刃がブローチ本体の軸線方向に沿って連続して配置されて被削材に対し溝加工を行う溝加工部と、該溝加工部の後段に設けられ、スプライン刃と丸刃が前記軸線方向に沿って混在して配置されて前記被削材に対し溝加工と孔の内周加工を行う溝及び孔内周加工部とを備えるスプラインブローチにおいて、前記溝及び孔内周加工部に配置されるスプライン刃の歯厚を、前記溝加工部に配置されるスプライン刃の歯厚よりも小に設定されていることを特徴とする。    
【０００８】
本発明のスプラインブローチによれば、溝及び孔内周加工部に配置されるスプライン刃の歯厚を、溝加工部に配置されるスプライン刃の歯厚よりも予め小に設定し、これにより切削しようとする溝の側面に対向する部分の突出量を減少させているから、後段の溝及び孔内周加工部のスプライン刃によって溝加工を行なうときに、被削材に同時に係合するスプライン刃の数が減少することに伴い、被削材の挙動が不安定になって被削材が所期の位置より多少ずれて周方向に移動する場合、また、個々のスプライン刃によって溝加工を行なった後のスプリングバック量が大きくなる場合であっても、溝の奥側の内側面が過切削されるのを回避できる。
【０００９】
前記溝及び孔内周加工部では、前記スプライン刃と前記丸刃とが前記軸線方向に沿って交互に配置されていることが好ましい。
このようにスプライン刃と丸刃とが前記軸線方向に沿って交互に配置している場合、溝の加工と孔の内周加工が交互に行われるので、溝の加工あるいは孔の内周加工が２連あるは３連続けて行われる場合に比べ、孔の内周と溝との同芯度の高い加工が可能となる。
【００１０】
また、前記溝及び孔内周加工部には、前端に配置されるスプライン刃の歯厚が最も大きく、その歯厚よりも該スプライン刃から後段側に配置されるスプライン刃の歯厚が漸次小となるように設定されたスプライン刃歯厚可変部が設けられていることが好ましい。
【００１１】
溝加工部のスプライン刃による溝の外径上がり切削加工から、溝及び孔内周加工部のスプライン刃による溝の外径上がり切削加工へ移行するときに、被削材に加わる荷重が急激に変化する（減少する）等の加工条件が異なるため、被削材の挙動が不安定になりやすい。しかしながら、溝及び孔内周加工部の前端部にスプライン刃の歯厚が漸次小となるスプライン刃歯厚可変部を設けることにより、このスプライン刃歯厚可変部が、溝加工部のスプライン刃による溝の外径上がり切削加工から、溝及び孔内周加工部のスプライン刃による溝の外径上がり切削加工へ移行するときの案内部として機能することとなり、被削材の挙動が不安定になるのをある程度避けることができ、ひいては、溝の奥側の内側面が過切削されるのをより回避することができる。
【００１２】
また、前記溝及び孔内周加工部に配置されるスプライン刃は歯厚が一定に設定されていることが好ましい。
溝及び孔内周加工部に配置されるスプライン刃の歯厚を一定に設定することで、設計の面でもまた製造の面においても容易になる。
【発明の効果】
【００１３】
本発明のスプラインブローチによれば、溝及び孔内周加工部のスプライン刃によって溝の外径上がり切削を行なう際に、溝の奥側の内側面を過切削するのを回避することができる。
【図面の簡単な説明】
【００１４】
【図１】本発明の実施形態のスプラインブローチを示す外観図である。
【図２】図１におけるIIで示す部分の拡大模式図である。
【図３】本発明の実施形態のスプラインブローチにおけるスプライン刃の横断面図である。
【図４】本発明の実施形態のスプラインブローチにおける丸刃の横断面図である。
【図５】本発明の実施形態のスプラインブローチによって加工される被削材の加工例を示す内歯車形状の一部拡大した図である。
【図６】図２におけるＶIーＶI線に沿う断面図である。
【図７】図２におけるＶIIーＶII線に沿う断面図である。
【図８】図２におけるＶIIIーＶIII線に沿う断面図である。
【図９】（ａ）実施形態において溝加工部に配置されるスプライン刃をブローチ本体の軸線方向に沿って重ねて配置した模式図である。（ｂ）実施形態において溝及び孔内周加工部に配置されるスプライン刃をブローチ本体の軸線方向に沿って重ねて配置した複式図である。
【図１０】実施形態においてスプライン刃の歯厚の状況を示すグラフである。
【図１１】従来のスプラインスプラインブローチを用いて切削加工したときの溝の加工状況を示す断面の概念図である。
【発明を実施するための形態】
【００１５】
以下、本発明の実施形態のスプラインブローチ１について図面を参照して説明する。図１は本発明の実施形態のスプラインブローチを示す外観図、図２は図１におけるIIで示す部分の拡大複式図である。
本実施形態のスプラインブローチ１は、被削材Ｗに予め形成された下孔に対して、前段で溝加工、並びに後段で溝加工及び孔内周加工を施して内歯車形状（所定形状）を形成するスプラインブローチである。
【００１６】
図１に示されるように、スプラインブローチ１は、軸状をなすブローチ本体２と、ブローチ本体２の外周に該ブローチ本体２の軸線Ｏ方向に間隔をあけて配列された複数の切れ刃３と、を備え、被削材Ｗに形成された下孔にブローチ本体２を軸線Ｏ方向に沿う工具送り方向Ｄに向けて挿入するとともに移動させて、複数の切れ刃３により前記下孔を溝加工及び内周加工して、内歯車形状に切削加工する。
【００１７】
ここで、ブローチ本体２は、その軸線Ｏが被削材Ｗの下孔の中心軸に対して同軸となるように、該下孔内に挿入される。本明細書では、ブローチ本体２の軸線Ｏ方向のうち、被削材Ｗに対してブローチ本体２が送られる向き（図１における左側）を前方といい、これとは反対側の向き（図１における右側）を後方という。また、軸線Ｏに直交する方向を径方向といい、軸線Ｏ回りに周回する方向を周方向という。
【００１８】
ブローチ本体２は、前方の端部に位置する前つかみ部４と、後方の端部に位置する後つかみ部５と、前つかみ部４と後つかみ部５との間に配置された複数の切れ刃３と、を備える。また、ブローチ本体２において、前つかみ部４と複数の切れ刃３との間には前部案内６が配置され、複数の切れ刃３と後つかみ部５との間には後部案内７が配置されている。    
【００１９】
前つかみ部４及び後つかみ部５は、不図示のブロニチ盤により支持される。図示の例では、前つかみ部４及び後つかみ部５は、ともに丸首形となっている。尚、これらの前つかみ部４及び後つかみ部５は、上記丸首形以外の例えばコッタ形、ＤＩＮ形、台形溝形等であってもよい。
【００２０】
前部案内６及び後部案内７は、ともに丸棒状又は円柱状をなしている。
前部案内６は、被削材Ｗに最初に切り込まれる、工具送り方向Ｄの最も前方に位置する切れ刃３（後述するスプライン刃１１ａ）を、下孔に対して径方向に精度よく位置決めし案内する目的で設けられる。
後部案内７は、被削材Ｗに最後に切り込まれる、工具送り方向Ｄの後方に位置する切れ刃３（後述する丸刃12 b)が切削を終えるまで、ブローチ本体２と被削材Ｗとを径方向に位置決めする目的で設けられる。
【００２１】
切れ刃３（スプライン刃１１ａ、１２ａ、丸刃１２ ｂ）は、ブローチ本体２の外周に複数突設されている。図２に示されるように、各切れ刃３において、工具送り方向Ｄの前方を向く面は、すくい面８とされており、径方向の外側を向く面は、逃げ面９とされている。
すくい面８は、径方向外側（図２における上側）へ向かうに従い漸次工具送り方向Ｄの前方に向かって傾斜して延びており、逃げ面９は、工具送り方向Ｄの後方に向かうに従い漸次径方向内側（図２における下側）に向かって傾斜して延びている。また、切れ刃３におけるすくい面８と逃げ面９との交差稜線が、被削材Ｗに切り込む刃先１０となっている。    
【００２２】
図１に示されるように、複数の切れ刃３は、スプライン刃１１ａがブローチ本体２の軸線Ｏ方向に沿って連続して配置されて、被削材Ｗに対し溝加工を行う溝加工部１１と、溝加工部１１の後段に設けられ、スプライン刃１２ａと丸刃１２ｂがブローチ本体２の軸線Ｏ方向に沿って交互に配置されて、被削材Ｗに対し溝加工と下孔の内周加工を行う溝及び孔内周加工部１２（いわゆる交互丸刃部）とを備える。
【００２３】
図３は本発明の実施形態のスプラインブローチにおけるスプライン刃の横断面図、図４は本発明の実施形態のスプラインブローチにおける丸刃の横断面図である。図３に示すように、スプライン刃１１ａ、１２ａは、全体として歯車形状をなしており、ブローチ本体２の外周から径方向外側に向けて突出するとともに周方向に間隔をあけて配列された複数の刃部Ｃを有している。スプライン刃１１ａ、１２ａにおいては、これらの刃部Ｃに対して、すくい面８、逃げ面９及び刃先１０が形成されており、隣り合う刃部Ｃ同士の間に位置する部分は、切削に特に寄与しない刃底部となっている。
【００２４】
溝加工部１１において軸線Ｏ方向に隣り合う不ブライン刃１１ａ同士のうち、工具送り方向Ｄの後方に位置するスプライン刃１１ａは、その工具送り方向Ｄの前方に位置するスプライン刃１１ａに対して、刃部Ｃの径方向外側へ向けた突出量が大きくされている。すなわち、後方に位置するスプライン刃１１ａは、その前方に位置するスプライン刃１１ａが切削していない箇所を切削可能に形成されている。
【００２５】
図５は本発明の実施形態のスプラインブローチによって加工される被削材の加工例を示す内歯車形状の一部拡大した図である。この図に示すように、本実施形態のスプラインブローチ１により被削材Ｗの下孔に加工される内歯車形状のうち、溝加工部１１のスプライン刃１１ａは、符号Ａで示される凹状の歯部（溝部）の径方向外方への途中部分までを切削する。歯部Ａは、被削材Ｗの下孔の内周から径方向外側へ向けて窪まされるとともに、周方向に間隔をあけて複数形成される。歯部Ａには、内歯車形状において最外周をなす大径部ａ１、及び、最内周をなす小径部Ｂと前記大径部ａ１との間に位置して凹曲面状をなす左右一対の歯面ａ２が含まれる。
【００２６】
溝及び孔内周加工部１２に配置されるスプライン刃１２ａは、前記溝加工部１１に配置されるスプライン刃１１ａと同様に、工具送り方向Ｄの後方に位置するスプライン刃１２ａが、その工具送り方向Ｄの前方に位置するスプライン刃１２ａに対して、刃部Ｃの径方向外側へ向けた突出量を大に設定されている。なお、溝及び孔内周加工部１２における最前端に配置されるスプライン刃１２ａは、溝加工部１１における最後端に配置されるスプライン刃１１ａに対して、刃部Ｃの径方向外側へ向けた突出量が同等かあるいはそれよりも大きくされている。
【００２７】
溝及び孔内周加工部１２において、スプライン刃１２ａの間に配置される丸刃１２ｂは、図４に示すように、ブローチ本体２の外周から径方向外側に向けて突出するとともに周方向に沿って延びる円環形状をなしている。
【００２８】
丸刃１２ｂにおいて軸線Ｏ方向に隣り合う丸刃１２ｂ同士のうち、工具送り方向Ｄの後方に位置する丸刃１２ｂは、その工具送り方向Ｄの前方に位置する丸刃１２ｂに対して、径方向外側へ向けた突出量が、同等か又は大きくされている。すなわち、後方に位置する丸刃１２ｂは、その前方に位置する丸刃１２ｂが切削していない箇所を切削可能に形成されている。
【００２９】
図５において、丸刃１２ｂは、被削材Ｗの下孔に加工される内歯車形状のうち、符号Ｂで示される凹曲面状の小径部（内周部）を切削する。図５に示される正面視で、小径部Ｂは円弧状をなしており、周方向に間隔をあけて複数形成される。これらの小径部Ｂは、すべて同一の仮想円上に配置される。
【００３０】
図６は図２におけるＶIーＶI線に沿う断面図、図７は図２におけるＶIIーＶII線に沿う断面図、図８は図２におけるＶIIIーＶIII工線に沿う断面図である。
図６〜図８に示すように、溝及び孔内周加工部１２に配置されるスプライン刃１２ａの歯厚Ｓｂは、溝加工部１１に配置されるスプライン刃１１ａの歯厚Ｓａよりも小に設定されている。ここで言う歯厚とは、インボリュート曲線部にてブローチ本体２の軸中心から所定距離ｌだけ離れたスプライン刃の歯厚寸法のことである。                        
【００３１】
具体的には、スプライン刃１２ａの歯厚Ｓｂは、スプライン刃１１ａの歯厚Ｓａよりも２μｍ〜５μｍ程度小に設定されている。なお、溝及び孔内周加工部１２に配置されるスプライン刃１２ａの歯厚の中心は、溝加工部１１に配置されるスプライン刃１１ａの歯厚の中心とずれることなく、同じ位置に保たれる。すなわち、スプライン刃１２ａの歯厚Ｓｂがスプライン刃１１ａの歯厚Ｓａよりも小に設定されるとき、歯の左右の側面を均等に狭められている。
【００３２】
図９（ａ）は本実施形態において溝加工部に配置されるスプライン刃をブローチ本体の軸線方向に沿って重ねて配置した模式図、図９（ｂ）は実施形態において溝及び孔内周加工部に配置されるスプライン刃をブローチ本体の軸線方向に沿って重ねて配置した複式図である。
【００３３】
これらの図に示すように、溝加工部１１に配置されるスプライン刃１１ａを重ね合わせて得られるラインのうち、図９（ａ）における左側面のラインがＬａ、右側面のラインがＲａとなる。また、溝及び孔内周加工部１２に配置されるスプライン刃１２ａを重ね合わせて得られるラインのうち、図９（ｂ）における左側面のラインがＬｂ、右側面のラインがＲｂとなる。これらの図の比較からわかるように、この実施形態では、溝及び孔内周加工部１２に配置されるスプライン刃１２ａの歯厚Ｓｂが、溝加工部１１に配置されるスプライン刃１１ａの歯厚ＡＳａよりも２μｍ〜５μｍ程度小に設定されているため、溝及び孔内周加工部１２に配置されるスプライン刃１２ａを重ねた左右の側面ラインＬｂ、Ｒｂは、溝加工部１１に配置されるスプライン刃１１ａを重ねた左右の側面ラインＬａ、Ｒａの延長のラインよりもそれぞれ内側に寄っている。それら左右のずれ量は、それぞれ前記歯厚Ｓａ、Ｓｂの差の半分、つまり１μｍ〜２．５μｍである。
【００３４】
ここで、溝及び孔内周加工部１２に配置されるスプライン刃１２ａの歯厚Ｓｂを、溝加工部１１に配置されるスプライン刃１１ａの歯厚Ｓａよりも小に設定しているが、その設定方法には、例えば図１０に示すように２通りが考えられる。
【００３５】
図１０中Ｚａで示す設定方法は、溝及び孔内周加工部１２に配置される全てのスプライン刃１２ａについて歯厚を一定に減じる方法である。また、図１０中Ｚｂで示す設定方法は、溝及び孔内周加工部１２に配置されるスプライン刃１２ａのうち前端に配置されるスプライン刃１２ａの歯厚の減少量を小さくし（つまり溝及び孔内周加工部１２に配置されるスプライン刃１２ａでは、このスプライン刃の歯厚が最も大きい）、該スプライン刃１２ａから後段側に配置されるスプライン刃１２ａの歯厚の減少量を漸次増大させ、最終的にはそれよりも後段側のスプライン刃１２ａの歯厚を一定にする方法である。ここで、後者側のスプライン刃の歯厚が可変する領域をスプライン刃歯厚可変部Ｅと呼ぶ。
なお、スプライン刃１２ａの歯厚をスプライン刃１１ａの歯厚よりも小に設定する設定方法は、上述のものに限られることなく、例えば、スプライン刃１２ａの歯厚の減少量を後段に向かうに従い段階的に増大させる方法であっても良い。
【００３６】
以上説明した本実施形態のスプラインブローチ１では、被削材Ｗの下孔にブローチ本体２が挿入され、工具送り方向Ｄに送られることで、該下孔に対して、溝加工部のスプライン刃１１ａが溝に対し途中の外径上がりまで加工（内歯車形状の歯部Ａの加工）を施した後、続いて、溝及び孔内周加工部１２のスプライン刃１２ａが残りの溝加工を行なうとともに、溝及び孔内周加工部１２の丸刃１２ｂが孔の内周加工（内歯車形状の小径部Ｂの加工）を施す。
【００３７】
ここで、本実施形態のスプラインブローチ１では、溝及び孔内周加工部１２に配置されるスプライン刃１２ａの歯厚Ｓｂを、予め、溝加工部１１に配置されるスプライン刃１１ａの歯厚Ｓａよりも小に設定しているから、後段の溝及び孔内周加工部１２のスプライン刃１２ａによって溝加工つまり溝の外径上がり切削加工を行なうときに、被削材Ｗに同時に係合するスプライン刃１２ａの数が減少することに伴い、被削材Ｗの挙動が不安定になって被削材Ｗが所期の位置より多少周方向にずれて移動する場合であっても、また、個々のスプライン刃１２ａによって溝加工を行なった後のスプリングバック量が大きくなる場合であっても、溝の奥側の内側面が過切削されるのを回避できる。
【００３８】
また、本実施形態のスプラインブローチ１では、溝及び孔内周加工部１２において、スプライン刃１２ａと丸刃１２ｂとが軸線Ｏ方向に沿って交互に配置されており、溝の加工と孔の内周加工が交互に行われるので、溝の加工あるいは孔の内周加工が２連あるは３連続けて行われる場合に比べ、孔の内周と溝との同芯度のより商い加工が可能となる。
【００３９】
なお、本発明は上述の実施形態に限定されるものではなく、本発明の趣旨を逸脱しない範囲において種々の変更を加えることが可能である。
【００４０】
例えば、上述の実施形態では、スプラインブローチ１が被削材Ｗの下孔を切削加工して内歯車形状を形成することとしたが、これに限定されるものではない。すなわち、スプラインブローチ１は、被削材Ｗの下孔を溝加工及び内周加工して所定形状に切削加工するものであればよく、上述した内歯車形状以外の、例えばセレーション形状やキー溝形状に切削加工するものであっても構わない。
また、内歯車形状を形成する場合であっても、インボリュート歯車に限られることなく、例えば、サイクロイド歯車やトロコイド歯車を形成する場合でも、本発明は適用可能である。
【００４１】
また、上述の実施形態では、溝及び孔内周加工部１２において、スプライン刃１２ａと丸刃１２ｂを交互に配置しているが、これに限られることなく、丸刃１２ｂの間にスプライン刃１２ａを２連あるいは３連連続して配置したものでも、あるいは逆に、スプライン刃１２ａの間に丸刃１２ｂを２連あるいは３連連続して配置したものでも、本発明は適用可能である。
【００４２】
また、上述の実施形態では、溝及び孔内周加工部１２のすぐ後段側に後部案内７を設けているが、これに限られることなく、溝及び孔内周加工部１２と後部案内７との間に、仕上用のスプライン刃を連続して配置してもよく、また、丸刃を連続して配置してもよい。
【符号の説明】
【００４３】
１  スプラインブローチ
２  ブローチ本体
３  切れ刃
１１  溝加工部
１ １ ａ  スプライン刃
１２  溝及び孔内周加工部
１２ａ  スプライン刃
１２ｂ  丸刃
Ｄ  工具送り方向
Ｏ  ブローチ本体の軸線
Ｅ  スプライン刃歯厚可変部
Ｗ  被削材
【図１】
2014184532.tif 000003
【図２】
2014184532.tif 000004
【図３】
2014184532.tif 000005
【図４】
2014184532.tif 000006
【図５】
2014184532.tif 000007
【図６】
2014184532.tif 000008
【図７】
2014184532.tif 000009
【図８】
2014184532.tif 000010
【図９】
2014184532.tif 000011
【図１０】
2014184532.tif 000012
【図１１】
2014184532.tif 000013